(57)【要約】【課題】複数の情報機器を同時に接続可能で、それぞれの情報機器が有する情報を表示して、情報の交換を容易に行うことを可能にする表示装置、表示システム、表示装置の制御方法および信号処理装置を提供する。【解決手段】複数の情報機器Ａ、Ｂ、Ｃを同時に接続し、コンテンツの情報を一括に表示し、それぞれの情報機器毎に対応可能なコンテンツタイプを確認し、選択されたコンテンツがコピー可能な情報機器を判別し、コピー元の情報機器とコピー先の情報機器との間でコンテンツのコピー処理を開始させる構成の表示装置１、１Ａ、１Ｂ、表示システム、表示装置の制御方法とし、これらの各機能を有し、従来のＴＶ装置を表示装置として用いることが可能な信号処理装置１０とした。【選択図】図１
2014120859.tif 000002
【特許請求の範囲】
【請求項１】
複数の情報機器を接続する接続手段と、
前記複数の情報機器が有するコンテンツの情報を表示部に表示可能な表示手段と、
それぞれの情報機器が対応可能なコンテンツタイプおよびそれぞれの情報機器が有するコンテンツのコンテンツタイプを確認するコンテンツタイプ確認手段と、
前記表示部に表示された前記情報から選択された所定のコンテンツに対応可能な情報機器を判別する判別手段と、
前記所定のコンテンツに対応可能な情報機器が前記所定のコンテンツのコピー先として選択された場合、前記所定のコンテンツを有する情報機器とコピー先の情報機器との間で通信を行わせて、前記所定のコンテンツのコピー処理を開始させるコピー処理手段と、
を有することを特徴とする表示装置。
【請求項２】
前記判別手段を介して前記所定のコンテンツに対応できないと判別された情報機器が前記所定のコンテンツのコピー先になることを禁止するコピー先制限手段を有することを特徴とする請求項１に記載の表示装置。
【請求項３】
前記表示手段は、前記複数の情報機器のうち少なくとも２台以上の情報機器が有する前記情報を同時に表示することを特徴とする請求項１または２に記載の表示装置。
【請求項４】
前記判別手段は、前記所定のコンテンツのコンテンツタイプとそれぞれの情報機器が対応可能なコンテンツタイプとを比較して、前記所定のコンテンツに対応可能な情報機器を判別することを特徴とする請求項１から３のいずれかに記載の表示装置。
【請求項５】
前記判別手段は、前記所定のコンテンツがコピー可能な情報機器を判別して明示するコピー可能明示機能を有することを特徴とする請求項１から４のいずれかに記載の表示装置。
【請求項６】
前記コピー処理手段は、前記コンテンツの情報をドラッグアンドドロップ方式によりドロップする操作に応じて当該コンテンツをコピーする旨の指令を発することを特徴とする請求項１から５のいずれかに記載の表示装置。
【請求項７】
前記表示手段は、それぞれの情報機器の表示画像をそれぞれの表示エリア毎に区分けして一括に表示する画像表示機能を有し、さらに、選択されたコンテンツを識別する画像情報を、当該コンテンツを有する情報機器から取得し、取得した画像情報を識別画像として表示画像に上書き表示する識別画像表示機能を有し、
コピー可能な情報機器に対応した前記表示エリアに前記識別画像をドロップすることにより、前記コピー処理が開始されることを特徴とする請求項１から６のいずれかに記載の表示装置。
【請求項８】
前記表示手段は、それぞれの情報機器が有するコンテンツを識別する画像情報を取得して、当該画像情報を識別画像として一括に表示する識別画像表示機能を有し、
コピー可能として表示された情報機器に当該識別画像をドロップすることにより、前記コピー処理が開始されることを特徴とする請求項１から６のいずれかに記載の表示装置。
【請求項９】
前記画像情報がサムネイル情報であり、前記識別画像はサムネイル画像であることを特徴とする請求項７または８に記載の表示装置。
【請求項１０】
選択されたコンテンツがコピー可能な情報機器に対応した前記表示エリアとコピー元の情報機器に対応した前記表示エリアの背景色を同じ第１色とし、コピー不可能な情報機器に対応した前記表示エリアの背景色を第１色とは異なる第２色とすることを特徴とする請求項７に記載の表示装置。
【請求項１１】
接続された複数の情報機器をタブ表示することを特徴とする請求項１から１０のいずれかに記載の表示装置。
【請求項１２】
選択されたコンテンツがコピー可能な情報機器に対応したタブの大きさおよび色のいずれか一方もしくは両方を変えると共に、コピー可能な情報機器に対応した前記タブに前記サムネイル画像をドロップして前記コピー処理を開始することを特徴とする請求項１１に記載の表示装置。
【請求項１３】
コピー元の情報機器とコピー不可能な情報機器に対応したタブの大きさおよび色のいずれか一方もしくは両方を同時に変えることを特徴とする請求項１１または１２に記載の表示装置。
【請求項１４】
請求項１から１３のいずれかに記載の表示装置に複数の情報機器を接続して構成される表示システムであって、
前記表示装置は、複数の情報機器を接続する接続機能と、
それぞれの情報機器が有するコンテンツの情報を表示部に表示可能な表示機能と、
それぞれの情報機器が対応可能なコンテンツタイプおよびそれぞれの情報機器が有するコンテンツのコンテンツタイプを確認するコンテンツタイプ確認機能と、
前記表示部に表示された前記情報から選択された所定のコンテンツに対応可能な情報機器を判別する判別機能と、
前記所定のコンテンツに対応可能な情報機器が前記所定のコンテンツのコピー先として選択された場合、前記所定のコンテンツを有する情報機器とコピー先の情報機器との間で通信を行わせて、前記所定のコンテンツのコピー処理を開始させるコピー処理機能と、
を有し、
当該表示装置の画面上の操作により、コピー元の情報機器からコピー先の情報機器へのコピー処理を可能にすることを特徴とする表示システム。
【請求項１５】
請求項１から１３のいずれかに記載の表示装置の制御方法であって、
複数の情報機器を接続する接続工程と、
それぞれの情報機器が有するコンテンツの情報を表示部に表示する表示工程と、
それぞれの情報機器が対応可能なコンテンツタイプおよびそれぞれの情報機器が有するコンテンツのコンテンツタイプを確認するコンテンツタイプ確認工程と、
前記表示部に表示された前記情報から選択された所定のコンテンツに対応可能な情報機器を判別する判別工程と、
前記所定のコンテンツに対応可能な情報機器が前記所定のコンテンツのコピー先として選択された場合、前記所定のコンテンツを有する情報機器とコピー先の情報機器との間で通信を行わせて、前記所定のコンテンツのコピー処理を開始させるコピー処理工程と、
を有し、
当該表示装置の画面上の操作により、コピー元の情報機器からコピー先の情報機器へのコピー処理を可能にすることを特徴とする表示装置の制御方法。
【請求項１６】
複数の情報機器を接続する接続機能と、
前記複数の情報機器が有するコンテンツの情報を表示装置に表示させる表示機能と、
それぞれの情報機器が対応可能なコンテンツタイプおよびそれぞれの情報機器が有するコンテンツのコンテンツタイプを確認するコンテンツタイプ確認機能と、
前記表示装置に表示させた前記情報から選択された所定のコンテンツに対応可能な情報機器を判別する判別機能と、
前記所定のコンテンツに対応可能な情報機器が前記所定のコンテンツのコピー先として選択された場合、前記所定のコンテンツを有する情報機器とコピー先の情報機器との間で通信を行わせて、前記所定のコンテンツのコピー処理を開始させるコピー処理機能と、
を有し、
当該表示装置の画面上の操作により、コピー元の情報機器からコピー先の情報機器へのコピー処理を可能にすることを特徴とする信号処理装置。
【発明の詳細な説明】
【技術分野】
【０００１】
本発明は、複数の情報機器が有するコンテンツを表示して容易に確認でき、これらの情報機器間においてコンテンツのコピーを可能にする表示装置、表示システム、表示装置の制御方法および信号処理装置に関する。
【背景技術】
【０００２】
近年、多種多様なアプリケーションを備えたスマートフォンなどの高機能通信端末が開発されている。また、タブレットＰＣなどの携帯可能な高機能情報機器（以後タブレット端末と称する）も開発されており、このような情報機器の高機能化に伴って、ユーザーは様々なコンテンツを利用できるようになっている。
【０００３】
また、テレビ番組などのコンテンツを大量に記録できるＨＤＤレコーダーなどのコンテンツ記録機器が普及しており、スマートフォンやタブレット端末などの携帯可能な情報機器を用いて、外出先で動画や音楽などを再生することも行われている。
【０００４】
ユーザーは、各種のコンテンツを、モバイル機器で再生できるファイル形式に変換し、機器にコピーしておくことにより、外出先にてコンテンツを再生できる。ただし、再生できるファイル形式は機器毎に異なる場合もあるので、ユーザーは、それぞれの交換方法に対する知識を有することが求められる。
【０００５】
また、テレビ受信装置のデジタル化に伴い、このテレビ受信装置に携帯情報端末などの情報機器を接続してこれらの情報機器が保存するアプリケーション情報や映像データなどを伝送し表示させることが行われている。
【０００６】
例えば、ネットワークを介さずに外部表示装置と直接的に接続して内蔵表示部と同じデータを表示するミラー表示モードと、異なるデータを表示させる拡張表示モードが可能な携帯情報処理装置が既に本出願人から提案されている（例えば、特許文献１参照）。
【０００７】
また、携帯通信端末や携帯ゲーム端末などの情報機器間において、一方に保存しているコンテンツを他方に送る通信方法も既に行われている。例えば、赤外線通信やBluetooth（登録商標）やＷｉＦｉなどの無線通信方式を採用して、各種情報やデータを交換可能である。
【先行技術文献】
【特許文献】
【０００８】
【特許文献１】特開２０１１−２１７２３６号公報
【発明の概要】
【発明が解決しようとする課題】
【０００９】
情報機器同士を通信可能に接続してそれぞれの機器が有する情報の交換を行うことができるが、携帯通信端末やタブレット端末などの情報機器は小型であり表示画面が小さいため、情報を視認することが困難であり、操作も容易に行うことができないという問題がある。
【００１０】
そのために、画面の大きな表示装置にそれぞれの情報機器を通信可能に接続して、交換する情報を容易に確認しながら情報交換操作を行うことが好ましく、複雑な操作手順を踏まなくても大きな画面上で容易に情報交換操作が行えることが望ましい。
【００１１】
すなわち、接続する機器の種別に拘らずに、容易に情報交換操作が行えると共に、画面の大きな表示装置にそれぞれの情報機器を接続して、大きな画面を介して、一連の簡単な操作で各種情報の交換が行える表示装置、表示システム、表示装置の制御方法であることが望ましい。また、家庭用のＴＶ装置を用いてこのような機能を発揮する信号処理装置であれば、さらに利便性が向上してユーザビリティを確保できる。
【００１２】
本発明は、上記問題点に鑑み、複数の情報機器を同時に接続可能で、それぞれの情報機器が有する情報を表示して、情報の交換を容易に行うことを可能にする表示装置、表示システム、表示装置の制御方法および信号処理装置を提供することを目的とする。
【課題を解決するための手段】
【００１３】
上記目的を達成するために本発明は、複数の情報機器を接続する接続手段と、複数の情報機器が有するコンテンツの情報を表示部に表示可能な表示手段と、それぞれの情報機器が対応可能なコンテンツタイプおよびそれぞれの情報機器が有するコンテンツのコンテンツタイプを確認するコンテンツタイプ確認手段と、表示部に表示された情報から選択された所定のコンテンツに対応可能な情報機器を判別する判別手段と、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理手段と、を有する表示装置としたことを特徴としている。
【００１４】
この構成によると、表示装置に複数の情報機器を通信可能に接続することにより、表示装置の大きな画面上に、それぞれの情報機器が有するコンテンツの情報を同時に表示して容易に確認できる。また、コピーしたいコンテンツを選択すると、コピー可能な情報機器が判定されるので、コピー可能な情報機器に対してのみ、コンテンツのコピー処理を開始することができる。すなわち、本発明によれば、複数の情報機器が同時に接続可能で、それぞれの情報機器が有する情報を一括に表示して、情報の交換を容易に行うことが可能になる表示装置を得ることができる。
【００１５】
また本発明は上記構成の表示装置において、判別手段を介して所定のコンテンツに対応できないと判別された情報機器が所定のコンテンツのコピー先になることを禁止するコピー先制限手段を有することを特徴としている。この構成によると、コピーしたいコンテンツに対応していない情報機器にコピーしようとしても、コピー操作が自動的に制限されるので、コピー不可能な情報機器に対しては、確実にコピー処理を行わないようにできる。
【００１６】
また本発明は上記構成の表示装置において、表示手段は、複数の情報機器のうち少なくとも２台以上の情報機器が有する情報を同時に表示することを特徴としている。この構成によると、表示装置の大きな画面上に、複数の情報機器が有するコンテンツの情報を同時に表示して容易に確認することができる。
【００１７】
また本発明は上記構成の表示装置において、判別手段は、所定のコンテンツのコンテンツタイプとそれぞれの情報機器が対応可能なコンテンツタイプとを比較して、所定のコンテンツに対応可能な情報機器を判別することを特徴としている。この構成によると、所望のコンテンツをコピー可能な情報機器が自動的に判別されるので、コピー可能な情報機器に対してのみ、コピー処理を行わせることができる。
【００１８】
また本発明は上記構成の表示装置において、判別手段は、所定のコンテンツに対応可能な情報機器を判別して明示するコピー可能明示機能を有することを特徴としている。この構成によると、コピーしたいコンテンツを選択すると、コピー可能な情報機器が自動的に明示されるので、ユーザーが、コピー可能なファイル形式か否かを一々確認する必要がなく、選択したコンテンツがコピー可能な情報機器を容易に知ることができる。
【００１９】
また本発明は上記構成の表示装置において、コピー処理手段は、コンテンツの情報をドラッグアンドドロップ方式によりドロップする操作に応じて当該コンテンツをコピーする旨の指令を発することを特徴としている。この構成によると、表示装置の大きな画面上で行うドラッグアンドドロップ操作により、コピー元の情報機器からコピー先の情報機器にコンテンツを容易にコピーさせることができる。
【００２０】
また本発明は上記構成の表示装置において、表示手段は、それぞれの情報機器の表示画像をそれぞれの表示エリア毎に区分けして一括に表示する画像表示機能を有し、さらに、選択されたコンテンツを識別する画像情報を、当該コンテンツを有する情報機器から取得し、取得した画像情報を識別画像として表示画像に上書き表示する識別画像表示機能を有し、コピー可能な情報機器に対応した表示エリアに識別画像をドロップすることにより、前記コピー処理が開始されることを特徴としている。この構成によると、所定の情報機器にコピーしたいコンテンツを選択することにより、コンテンツに対応した識別画像を得、コピー可能な情報機器を認識して、表示装置の画面上で識別画像をドラッグアンドドロップ方式により、コピー元の情報機器とコピー先の情報機器との間でコンテンツをコピーする操作を開始する指令を発することができる。すなわち、本発明によれば、複数の情報機器が同時に接続可能で、それぞれの情報機器が有する情報を一括に表示して、情報の交換を容易に行うことを可能にする表示装置を得ることができる。
【００２１】
また本発明は上記構成の表示装置において、表示手段は、それぞれの情報機器が有するコンテンツを識別する画像情報を取得して、当該画像情報を識別画像として一括に表示する識別画像表示機能を有し、コピー可能として表示された情報機器に当該識別画像をドロップすることにより、前記コピー処理が開始されることを特徴としている。この構成によると、識別画像を用いることによりコンテンツの内容が視認容易となるので、所望のコンテンツを誤認することなく所望の情報機器にコピーすることが可能になる。
【００２２】
また本発明は、上記構成の表示装置において、画像情報がサムネイル情報であり、識別画像はサムネイル画像であることを特徴としている。この構成によると、サムネイル画像を用いることによりコンテンツの内容がさらに視認容易となるので、所望のコンテンツを誤認することなく所望の情報機器に確実にコピーできる。
【００２３】
また本発明は、上記構成の表示装置において、選択されたコンテンツがコピー可能な情報機器に対応した前記表示エリアとコピー元の情報機器に対応した前記表示エリアの背景色を同じ第１色とし、コピー不可能な情報機器に対応した表示エリアの背景色を第１色とは異なる第２色とすることを特徴としている。この構成によると、選択したコンテンツがコピー可能な情報機器を容易に確認することができ、所望するコンテンツのコピー処理を間違えることなく行うことができる。
【００２４】
また本発明は、上記構成の表示装置において、接続された複数の情報機器をタブ表示することを特徴としている。この構成によると、表示装置に接続されている情報機器を容易に確認できる。
【００２５】
また本発明は、上記構成の表示装置において、選択されたコンテンツがコピー可能な情報機器に対応したタブの大きさおよび色のいずれか一方もしくは両方を変えると共に、カピー可能な情報機器に対応したタブにサムネイル画像をドロップしてコピー処理を開始することを特徴としている。この構成によると、所望のコンテンツをコピー可能な情報機器を容易に確認でき、コピー処理を容易に行うことができる。
【００２６】
また本発明は、上記構成の表示装置において、コピー元の情報機器とコピー不可能な情報機器に対応したタブの大きさおよび色のいずれか一方もしくは両方を同時に変えることを特徴としている。この構成によると、所望のコンテンツをコピーできない情報機器を容易に確認できる。
【００２７】
また、本発明は、上記構成の表示装置に複数の情報機器を接続して構成される表示システムであって、前記表示装置は、複数の情報機器を接続する接続機能と、それぞれの情報機器が有するコンテンツの情報を表示部に表示可能な表示機能と、それぞれの情報機器が対応可能なコンテンツタイプおよびそれぞれの情報機器が有するコンテンツのコンテンツタイプを確認するコンテンツタイプ確認機能と、表示部に表示された情報から選択された所定のコンテンツに対応可能な情報機器を判別する判別機能と、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理機能と、を有し、当該表示装置の画面上の操作により、コピー元の情報機器からコピー先の情報機器へのコピー処理を可能にすることを特徴としている。
【００２８】
この構成によると、表示装置の大きな表示画面に、それぞれの情報機器が有するコンテンツの情報を表示し、所望のコンテンツのコピー処理を容易に行うことが可能になる。すなわち、本発明によれば、複数の情報機器が同時に接続可能で、それぞれの情報機器が有する情報を一括に表示して、情報の交換を容易に行うことを可能にする表示システムを得ることができる。
【００２９】
また本発明は、上記構成の表示装置の制御方法であって、複数の情報機器を接続する接続工程と、それぞれの情報機器が有するコンテンツの情報を表示部に表示する表示工程と、それぞれの情報機器が対応可能なコンテンツタイプおよびそれぞれの情報機器が有するコンテンツのコンテンツタイプを確認するコンテンツタイプ確認工程と、表示部に表示された情報から選択された所定のコンテンツに対応可能な情報機器を判別する判別工程と、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理工程と、を有し、当該表示装置の画面上の操作により、コピー元の情報機器からコピー先の情報機器へのコピー処理を可能にすることを特徴としている。
【００３０】
この構成によると、接続工程を介して複数の情報機器を同時に接続可能となり、表示工程を介してそれぞれの情報機器が有する情報を表示可能となり、コンテンツタイプ確認工程と判別工程を介して所定のコンテンツをコピー可能な情報機器を確認可能となり、コピー処理工程を介して情報の交換を容易に行うことが可能になる表示装置の制御方法を得ることができる。
【００３１】
また本発明は、複数の情報機器を接続する接続機能と、複数の情報機器が有するコンテンツの情報を表示装置に表示させる表示機能と、それぞれの情報機器が対応可能なコンテンツタイプおよびそれぞれの情報機器が有するコンテンツのコンテンツタイプを確認するコンテンツタイプ確認機能と、表示装置に表示させた情報から選択された所定のコンテンツに対応可能な情報機器を判別する判別機能と、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理機能と、を有し、当該表示装置の画面上の操作により、コピー元の情報機器からコピー先の情報機器へのコピー処理を可能にする信号処理装置であることを特徴としている。
【００３２】
この構成によると、ＴＶ装置のような大きな表示画面に、それぞれの情報機器が有するコンテンツの情報を表示し、所望のコンテンツのコピー処理を容易に行うことが可能になる。すなわち、本発明によれば、複数の情報機器が同時に接続可能で、それぞれの情報機器が有する情報を一括に表示して、情報の交換を容易に行うことを可能にする信号処理装置を得ることができる。
【発明の効果】
【００３３】
本発明によれば、複数の情報機器を同時に接続可能で、それぞれの情報機器が有する情報を表示して、情報の交換を容易に行うことを可能にする表示装置、表示システム、表示装置の制御方法および信号処理装置を得ることができる。
【図面の簡単な説明】
【００３４】
【図１】本発明に係る表示装置とこの表示装置に接続される情報機器との接続構成を示すブロック図である。
【図２】表示装置に接続している複数の情報機器の表示画像を一括に表示している第１実施形態を示す概略説明図である。
【図３】選択したコンテンツがコピー可能か不可能かを示す概略説明図である。
【図４】コピー不可能な領域をドラッグしている状態を示す概略説明図である。
【図５】コピー可能な領域までドラッグしてドロップした状態を示す概略説明図である。
【図６】第１実施形態の表示装置に複数の情報機器を接続して画面表示するまでの手順を示すフローチャートである。
【図７】第１実施形態の表示装置に複数の情報機器を接続してコンテンツのコピー処理を実行する手順を示すフローチャートである。
【図８】表示装置に接続している情報機器をタブ表示し、それぞれの情報機器が有するコンテンツ情報を一括に表示している第２実施形態を示す概略説明図である。
【図９】コピー可能な情報機器に対応したタブの大きさを大きくした状態を示す概略説明図である。
【図１０】図９に示すタブにサムネイルをドロップしてコンテンツをコピーする操作を指令する状態を示す概略説明図である。
【図１１】第２実施形態の表示装置に接続する情報機器をタブ表示して所望のサムネイルを表示するまでの手順を示すフローチャートである。
【図１２】さらに、選択したサムネイルを介してコピー処理を実行する手順を示すフローチャートである。
【図１３】本発明に係る表示装置の操作工程を示すブロック図である。
【図１４】表示工程の概要を示すブロック図である。
【図１５】本発明に係る表示装置を備えたＴＶ装置と情報機器との接続構成を示すブロック図である。
【図１６】本発明に係る信号処理装置と情報機器とＴＶ装置の接続構成を示すブロック図である。
【発明を実施するための形態】
【００３５】
以下に本発明の実施形態を図面を参照して説明するが、本発明はこれにより何ら制限されるものではない。また、同一構成部材については同一の符号を用い、重複する説明は適宜省略する。まず本実施形態に係る表示装置および表示システムの構成について、図１を用いて説明する。
【００３６】
本実施形態に係る表示システムは、図１に示すように、表示装置１に複数の情報機器（例えば、情報機器Ａ、情報機器Ｂ、情報機器Ｃの３台）を同時に通信可能に接続して、それぞれの情報機器が有する情報（コンテンツの情報）をコピー可能な機器間においてコピー処理を実行するようにしたものである。
【００３７】
情報機器Ａ、Ｂ、Ｃは、例えば、スマートフォンやタブレット端末や、その他の携帯可能な高機能情報機器である。また、ここで言うコンテンツとは、テキストや画像、それに、音声や映像などを組み合わせたものであり、写真や音楽や映画、さらには、ゲームや種々の処理操作を行うためのアプリなど様々なものを含む。
【００３８】
表示装置１は、無線通信部１１、有線通信部１２、メイン制御部１３（ＣＰＵ）、記憶部１４、映像表示部１５（本発明の表示部に相当）、音声出力部１６を有する。無線通信部１１は近距離無線通信が可能であればよく、例えば、無線ＬＡＮ（ＷｉＬＡＮやＷｉＦｉ）やBluetooth（登録商標）やＺｉｇＢｅｅ（登録商標）などの無線通信方式を採用することができる。
【００３９】
また、表示装置１は、無線通信部１１に加えて有線通信部１２も有する。この有線通信部１２は、例えば、ＵＳＢ規格に応じた有線通信方式であるが、ＨＤＭＩ（ハイデフニッションマルチメディアインタフェース）方式やＭＨＬ（モバイルハイデフニションリンク）方式でも、ＤｉｓｐｌａｙＰｏｒｔ規格に応じた有線通信方式でも、Ｔｈｕｎｄｅｒｂｏｌｔ規格に応じた有線通信方式であってもよい。そのため、表示装置１は、情報機器Ａおよび情報機器Ｂとは無線通信部１１を介して通信可能に接続され、情報機器Ｃとは有線通信部１２を介して通信可能に接続され、同時に複数台（３台）の情報機器に接続可能とされる。
【００４０】
例えば、表示装置１に複数の情報機器Ａ、Ｂ、Ｃを同時に接続し、コンテンツの情報を一括に表示し、それぞれの情報機器毎に対応可能なコンテンツタイプを確認し、選択されたコンテンツがコピー可能な情報機器を判別し、コピー元の情報機器とコピー先の情報機器との間でコンテンツのコピー処理を開始させる構成としている。例えば、互いの通信機器同士間の無線通信により、所定のコンテンツを他の情報機器にコピーさせるようにしている。
【００４１】
また、そのコピー処理は、表示装置１の表示部１５上に表示される情報を所定の操作により、同じく表示部１５上に表示されるコピー元からコピー先の情報機器に対応した表示エリアに移動させることで、コピー処理指令を発して、コピー元の情報機器とコピー先の情報機器との間でコピー処理を開始させるものである。
【００４２】
例えば、入力受信部１７を介してメイン制御部１３と通信可能なリモコンやポインタなどの入力装置１８を用いて、表示装置１の表示部１５上において、カーソル操作やポインタ操作を行うことにより、所定のコンテンツの選択と移動操作を行う。このように、表示装置１の大きな画面を介してコンテンツ情報の確認と移動操作を行うことができるのでユーザーにとって操作が容易となりユーザビリティに優れた表示装置１を提供できる。
【００４３】
すなわち、本実施形態に係る表示装置１は、（無線通信部１１と有線通信部１２を介して）複数の情報機器を接続する接続手段と、複数の情報機器が有するコンテンツの情報を表示部１５に表示可能な表示手段と、それぞれの情報機器が対応可能なコンテンツタイプおよびそれぞれの情報機器が有するコンテンツのコンテンツタイプを確認するコンテンツタイプ確認手段と、表示部１５に表示された情報から選択された所定のコンテンツに対応可能な情報機器を判別する判別手段と、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理手段と、を有する。
【００４４】
この構成であれば、複数の情報機器Ａ、Ｂ、Ｃが有するコンテンツの情報を、表示装置１の大きな画面に同時に表示することにより、利用可能なコンテンツを容易に確認できる。また、所定の情報機器にコピーしたいコンテンツを選択して、表示装置１の画面上での操作によりコピー開始指令を発して、コピー元の情報機器からコピー先の情報機器にコンテンツをコピーさせることができる。すなわち、本実施形態によれば、複数の情報機器が同時に接続可能で、それぞれの情報機器が有する情報を一括に表示して、情報の交換を容易に行うことを可能にする表示装置１を得ることができる。
【００４５】
さらに、判別手段を介して所定のコンテンツに対応できないと判別された情報機器が所定のコンテンツのコピー先になることを禁止するコピー先制限手段を有することが好ましい。この構成であれば、コピーしたいコンテンツに対応していない情報機器にコピーしようとしても、コピー操作が自動的に制限されるので、コピー不可能な情報機器に対しては、確実にコピー処理を行わないようにできる。
【００４６】
表示手段は、複数の情報機器Ａ、Ｂ、Ｃのうち少なくとも２台以上の情報機器が有する情報を同時に表示することが好ましい。この構成であれば、表示装置１の大きな画面上に、複数の情報機器Ａ、Ｂ、Ｃが有するコンテンツの情報を同時に表示して容易に確認することができる。もちろん、それぞれの情報機器Ａ、Ｂ、Ｃが有する情報を一括に表示する構成であってもよい。
【００４７】
コンテンツタイプ確認手段は、それぞれの情報機器Ａ、Ｂ、Ｃが有するコンテンツのコンテンツタイプおよび情報機器Ａ、Ｂ、Ｃが対応可能なコンテンツタイプを取得するコンテンツタイプ取得機能を有し、判別手段は、取得されたコンテンツタイプと予め確認されたそれぞれの情報機器Ａ、Ｂ、Ｃが対応可能なコンテンツタイプとを比較して、当該コンテンツをコピー可能か否かを判断する判断機能を有することが好ましい。この構成であれば、所望のコンテンツをコピー可能な情報機器が自動的に判別されるので、コピー可能な情報機器に対してのみ、コピー処理を行わせることができる。
【００４８】
判別手段は、所定のコンテンツに対応可能と判断された情報機器Ａ、Ｂ、Ｃを判別して明示するコピー可能明示機能を有することが好ましい。この構成であれば、コピーしたいコンテンツを選択すると、このコンテンツに対応可能でありコピー可能な情報機器が明示されるので、ユーザーが、コピー可能なファイル形式か否かを一々確認する必要がなく、選択したコンテンツがコピー可能な情報機器を容易に知ることができる。
【００４９】
コピー処理手段は、コピー可能と判断された情報機器Ａ、Ｂ、Ｃに対して、コンテンツの情報をドラッグアンドドロップ方式によりドロップする操作に応じて当該コンテンツをコピーする旨の指令を発し、コピー元の情報機器とコピー先の情報機器との間で通信を行わせて、コンテンツのコピー処理を開始させることが好ましい。この構成であれば、表示装置１の大きな画面上で行うドラッグアンドドロップ操作により、コピー元の情報機器からコピー先の情報機器にコンテンツを容易にコピーさせることができる。
【００５０】
次に、複数の情報機器を同時に接続して、それぞれの情報機器の表示画像およびコンテンツ情報を同時に表示して、一方の情報機器が有するコンテンツを他の情報機器にコピーする構成の第１実施形態と、複数の情報機器を同時に接続して、それぞれの情報機器が有するコンテンツ情報に加えてそれぞれの情報機器に対応したタブを一括に表示して、コンテンツ情報をドラッグアンドドロップ方式により該当するタブに移動して一方の情報機器が有するコンテンツを他の情報機器にコピーする構成の第２実施形態についてそれぞれ説明する。
【００５１】
〈第１実施形態〉
まず、図２〜図７を用いて第１実施形態の表示装置および表示システムについて説明する。
【００５２】
図２に示す第１実施形態の表示システムＤＳ１は、表示装置１Ａに情報機器Ａ、情報機器Ｂ、情報機器Ｃの３台の情報機器を同時に接続して構成される。
【００５３】
表示装置１Ａは図１に示す表示装置１と同様に無線通信部１１と有線通信部１２を有しており、それぞれの通信部は、それぞれ複数の情報機器を同時に接続可能とされる。例えば、図２には、情報機器Ａが無線通信方式により接続され、情報機器Ｂと情報機器Ｃが有線通信方式にて接続された状態を示す。
【００５４】
また、接続直後には、表示部１５に、例えば、それぞれの情報機器Ａ、Ｂ、Ｃの表示画像を表示する構成としている。すなわち、情報機器Ａ、Ｂ、Ｃに表示させた画像がそのまま表示されるので、この表示内容から、表示装置１Ａに３台の情報機器Ａ、Ｂ、Ｃが接続されていること、および、表示部１５の各表示エリアとそれぞれの情報機器Ａ、Ｂ、Ｃとの対応関係を確認できる。
【００５５】
そこで、情報機器Ａ、Ｂ、Ｃにそれぞれコンテンツの情報を表示させると、表示装置１は、それぞれの情報機器との間で通信を行い、表示された情報を取得して表示部１５にも同じ情報が表示される。コンテンツの情報は、コンテンツを識別できる情報であればよく、例えば、コンテンツの名称や、画像の一部や、サムネイル画像など、また、ゲームやアプリケーションを示すアプリ画像などの識別画像などを用いることができる。
【００５６】
この図２では、表示エリア１５Ａが情報機器Ａに対応し、表示エリア１５Ｂが情報機器Ｂに対応し、表示エリア１５Ｃが情報機器Ｃに対応している。また、図中に示す画像Ａ０１は、単なる表示画像の一例であって、後述するサムネイル画像ＴＮ０１のようなドラッグアンドドロップ操作できるものではない。
【００５７】
また、図中に、ポインタＰを示しており、このポインタＰを入力装置１８を用いて操作することにより、所望のコンテンツを選択することや、選択された所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させることや、所定のコンテンツに対応できない情報機器が所定のコンテンツのコピー先になることを禁止することが可能になっている。
【００５８】
例えば、図３に示すように、単なる画像Ａ０１を表示した状態であっても、ポインタＰを画像Ａ０１に移動させてクリックすると、この画像Ａ０１に対応したコンテンツ情報を要求する処理が開始され、この画像Ａ０１に対応したコンテンツを有する情報機器Ａから所定のコンテンツ情報が表示装置１Ａに送信され、画像Ａ０１に上書きされる。
【００５９】
コンテンツ情報は、コンテンツを識別できる情報であり、例えば、サムネイルである。そのために、ポインタＰを操作して画像Ａ０１を選択すると、情報機器Ａに対してサムネイル要求（サムネイル要求２１）がなされ、この要求に応じて、情報機器Ａから所定のサムネイルが返信（サムネイル返信２２）される。
【００６０】
また、同時に、接続されている他の情報機器Ｂ、Ｃが該当するコンテンツに対応可能であるか否か、またコピー可能であるか否かを判定され、コピー可能と判定された情報機器、もしくは、コピーできないと判定された情報機器を明示するようにしている。
【００６１】
例えば、表示装置１Ａは、具備するコンテンツタイプ確認手段と判別手段を介して、それぞれの情報機器が有するコンテンツのコンテンツタイプおよびそれぞれの情報機器が対応可能なコンテンツタイプを確認し、これらを比較することで、要求したコンテンツ情報に対応可能であるか否かをそれぞれの情報機器に対して判断して、それぞれの情報機器に対して新たなコンテンツをコピー可能であるか否かをそれぞれの情報機器に対して判断できる。
【００６２】
また、コンテンツを識別する情報として取得したサムネイル情報を画像Ａ０１にサムネイル画像として上書きする機能（識別画像表示機能）を有し、上書きされたサムネイル画像をポインタＰを用いて、ドラッグアンドドロップ方式により移動させてコピー処理開始の指令を発することを可能にしている。
【００６３】
この際に、選択されたコンテンツがコピー可能な情報機器に対応した表示エリアとコピー元の情報機器に対応した表示エリアの背景色を同じ第１色とし、コピー不可能な情報機器に対応した表示エリアの背景色を第１色とは異なる第２色とすることが好ましい。このようなコピー可能明示機能を有する構成であれば、選択したコンテンツがコピー可能な情報機器を容易に確認することができ、所望するコンテンツのコピー処理を間違えることなく行うことができるので、操作が容易となって、ユーザビリティを確保できる。
【００６４】
例えば、図３、図４に、コピー不可能と判断された情報機器Ｂに対応した表示エリア１５Ｂの色を暗転させた実施例を示す。この図からも判るように、ユーザーがコピーしたいコンテンツを選択すると、コピー不可能と判断された情報機器Ｂに対応した表示エリア１５Ｂの背景色が、コピー元および選択されたコンテンツがコピー可能と判断された情報機器Ｃに対応した表示エリアの背景色（第１色）とは異なる第２色とされる。
【００６５】
従って、ユーザーがコピー処理を行いたいコンテンツを選択すると、表示装置１Ａ側が、選択されたコンテンツをコピー可能な情報機器を選定し表示することになって、ユーザー自身が、当該コンテンツを可能であるか否かをそれぞれの情報機器毎に対して判断する必要がなくなり、表示装置１Ａに接続する情報機器の種別を意識することなく容易に情報の交換を行うことが可能になる。
【００６６】
また、選択されたコンテンツに対応したサムネイル画像ＴＮ０１は、コピー元の情報機器Ａからコンテンツがコピー可能と判断された情報機器Ｃには、ドラッグアンドドロップ方式にて移動させることができるが、コピー不可能と判断された情報機器Ｂへは移動できない構成とされる。言い換えると、コピー元の情報機器Ａに対応した表示エリア１５Ａと同じ背景色の表示エリア１５Ｃがドロップ操作有効領域となり、異なる背景色の表示エリア１５Ｂはドロップ操作無効領域となる。
【００６７】
すなわち、表示装置１Ａは、所定のコンテンツに対応可能な情報機器が所定のコンテンツのコピー先として選択された場合、所定のコンテンツを有する情報機器とコピー先の情報機器との間で通信を行わせて、所定のコンテンツのコピー処理を開始させるコピー処理手段と、所定のコンテンツに対応できない情報機器が所定のコンテンツのコピー先になることを禁止するコピー先制限手段と、を有する。
【００６８】
従って、図４に示すように、色が暗転された表示エリア１５Ｂ領域では、サムネイル画像ＴＮ０１をドラッグアンドドロップさせても無効と判定され、図５に示すように、ポインタＰを表示エリア１５Ｃまで移動させることで、サムネイル画像ＴＮ０１のドラッグアンドドロップ操作が有効になる。このようにサムネイル画像ＴＮ０１を表示エリア１５Ｃに移動してドロップすることにより、サムネイル画像ＴＮ０１に対応したコンテンツを情報機器Ｃにコピーさせる操作を開始する指令が発せられる。
【００６９】
サムネイル画像ＴＮ０１に対応したコンテンツを情報機器Ｃにコピーさせる処理を開始する指令が発せられるとは、メイン制御部１３を介して、情報機器Ａに対して該当するコンテンツを情報機器Ｃに送信するよう送信指令を発し、情報機器Ｃに対して情報機器Ａからコンテンツを受信するよう受信指令を発し、情報機器Ａと情報機器Ｃ間で送受信を開始させることである。
【００７０】
すなわち、本実施形態に係る表示装置１Ａが有する表示手段は、それぞれの情報機器の表示画像をそれぞれの表示エリア毎に区分けして同時に表示する画像表示機能を有し、さらに、選択されたコンテンツを識別する画像情報を、当該コンテンツを有する情報機器から取得し、取得した画像情報を識別画像として表示画像に上書き表示する識別画像表示機能を有し、コピー可能な情報機器に対応した表示エリアに識別画像をドロップすることにより、コピー処理が開始される構成としている。
【００７１】
この構成であれば、表示装置１Ａの大きな画面に、複数の情報機器の表示画像を同時に表示することにより、それぞれの情報機器が有するコンテンツ情報を容易に確認できる。また、所定の情報機器にコピーしたいコンテンツを選択することにより、コンテンツに対応した識別画像を得、コピー可能な情報機器を認識して、表示装置１Ａの画面上で識別画像をドラッグアンドドロップ方式により、コピー元の情報機器とコピー先の情報機器との間でコンテンツをコピーする操作を開始する指令を発することができる。すなわち、本実施形態によれば、複数の情報機器が同時に接続可能で、それぞれの情報機器が有する情報を同時に表示して、情報の交換を容易に行うことを可能にする表示装置１Ａを得ることができる。
【００７２】
識別情報は例えばサムネイル情報であって、識別画像はサムネイル画像であることが好ましい。この構成によると、所定の情報機器にコピーしたいコンテンツを選択することにより、コンテンツに対応したサムネイル画像を得、コンテンツ内容を容易に認識できるサムネイル画像を、表示装置の画面上でドラッグアンドドロップ方式により移動させることにより、コピー元の情報機器とコピー先の情報機器との間でコンテンツをコピーする操作を開始する指令を発することができる。
【００７３】
次に、この第１実施形態の表示装置１Ａの制御方法について、図６、図７に示すフローチャートを用いて説明する。図６は、表示装置に複数の情報機器を接続して画面表示するまでの初期状態を示すフローチャートであり、図７は、表示装置に複数の情報機器を接続してコンテンツのコピー処理を実行する手順を示すフローチャートである。
【００７４】
図６に示すように、表示装置１Ａに情報機器Ａ、Ｂ、Ｃを接続する処理を開始すると、情報機器を接続する手段を介してそれぞれの情報機器を接続してステップＳ１の機器接続確立を実行する（接続工程）。
【００７５】
次いで、それぞれの情報機器Ａ、Ｂ、Ｃが表示する画面情報と、画面表示されたコンテンツのコンテンツ情報を確認する処理を行う。例えば、それぞれのコンテンツ情報に含まれるファイル情報を要求（ステップＳ２）し取得する。また、それぞれのファイル情報（コンテンツ情報）を保管（ステップＳ３）し、画面情報を得て、それぞれに対応した画面表示（ステップＳ４）を行う（表示工程）。
【００７６】
この図６に示す工程は、表示装置と複数の情報機器とを接続して、画面表示するまでの接続工程と表示工程であり、この両工程の後、コンテンツ確認工程と判別工程とコピー処理工程などを行うことになる。
【００７７】
上記のステップＳ１〜Ｓ４の操作の後、表示装置１Ａの表示部１５には、情報機器Ａ、Ｂ、Ｃにそれぞれ対応した表示エリア１５Ａ、１５Ｂ、１５Ｃが表示される。また、それぞれの表示エリアには、情報機器Ａ、Ｂ、Ｃと同じ表示画像が表示される。
【００７８】
それから、図７に示すコンテンツのコピー処理を実行する。
【００７９】
まず、ユーザーによる表示装置１Ａの画面操作に応じて、メイン制御部１３が所望のコンテンツに対応したコンテンツ情報を選択する（ステップＳ１１：情報機器Ａ画面のサムネイル選択：選択工程）。すると、選択されたコンテンツを有する情報機器Ａに対してサムネイル要求信号が発せられ（ステップＳ１２）、情報機器Ａは表示装置１Ａにサムネイルを送信（ステップＳＡ１）する。
【００８０】
表示装置１Ａが情報機器Ａからサムネイル情報を受信する（サムネイル取得工程）と表示画面１５Ａのコンテンツ情報を示す画像の上に上書きされる。すなわち、ステップＳ１３のサムネイル表示が実行される（サムネイル表示工程）。
【００８１】
それから、所望のコンテンツのコピー処理を開始する。ユーザーがコピー処理を開始する際に、表示画面１５Ａに表示されたサムネイル画像を選択してドラッグ操作を開始する（ステップＳ１４：ドラッグ工程）と、このサムネイルに対応したコンテンツタイプを取得する指令が発せられ（ステップＳ１５のサムネイル情報要求に相当）、この指令を受けた情報機器Ａが表示装置１Ａにコンテンツタイプを送信（ステップＳＡ２の選択されたサムネイルのタイプ送信）する。
【００８２】
サムネイルタイプを受信する、すなわち、コンテンツタイプを受信する（コンテンツタイプ取得機能）と、このコンテンツタイプをコピー可能か否かをそれぞれの情報機器に対して判断（判断機能）して、ステップＳ１６のサムネイルタイプの対応機器確認（判別工程）し、その旨の表示（ステップＳ１７の、機器Ｂ：不可、機器Ｃ：可）を行う（コピー可能明示工程）。
【００８３】
その旨の表示は、例えば、図３に示す背景色を変化させることである。この段階で、ユーザーは、選択したコンテンツをコピー可能な情報機器Ｃとコピー不可能な情報機器Ｂを知ることができ、コピー可能と判断された情報機器Ｃへのコピー処理を実行する（コピー処理工程）。
【００８４】
情報機器Ａが有するコンテンツを情報機器Ｃにコピーする際には、情報機器Ｃに対応した表示画面１５Ｃ領域までサムネイル画像をドラッグしてドロップする（ステップＳ２０）。すると、このドロップ操作が有効であると判定され、所定のコピー処理工程が実行される。すなわち、表示装置１Ａから情報機器Ａに対してファイルコピーの送信指令が発せられ、情報機器Ｃに対してファイルコピーの受信指令が発せられる（ステップＳ２１）。
【００８５】
それから、情報機器Ａと情報機器Ｃとの間で、通信状態が確立され（ステップＳＡ３、ステップＳＣ１）、コンテンツファイルの送受信を実行する（ステップＳＡ４）。また、情報機器Ｃが受信を完了すると、ファイル受信完了信号を情報機器Ａに送信する（ステップＳＣ２）。
【００８６】
その後、情報機器Ａと情報機器Ｃとは通信状態を解除（ステップＳＡ５、ステップＳＣ３）して、情報機器Ａが情報装置１Ａに通信完了信号を送信する（ステップＳＡ６）。また、表示装置１Ａは、情報装置１Ａから通信完了信号を受信すると、サムネイル画像を消去する（ステップＳ２２）とよい。
【００８７】
上記で、例えば、情報機器Ａが有するコンテンツをコピーできない情報機器Ｂを選択して、この情報機器Ｂに対応した表示画面１５Ｂ領域までサムネイル画像をドラッグしてドロップしようとしても、ドラップできないことは前述した通りである。すなわち、表示装置１Ａは、所定のコンテンツに対応できない情報機器Ｂが所定のコンテンツのコピー先になることを禁止するコピー先制限機能およびコピー先制限工程を有する。
【００８８】
上記したステップＳ１１〜ステップＳ２２の処理手順を経て、情報機器Ａが有するコンテンツを情報機器Ｃにコピーする処理工程が完了する。新たなコピー処理を行う際には、このステップＳ１１〜ステップＳ２２に対応した、接続工程と表示工程とコンテンツタイプ確認工程と選択工程とサムネイル取得工程とサムネイル表示工程と判別工程とドラッグ工程とコピー可能明示工程とコピー処理工程とを含む操作を新たなコンテンツに対して行うことで実行可能である。
【００８９】
上記で説明した第１実施形態の表示装置および表示装置の制御方法によれば、表示装置の大きな画面上で、複数の情報機器が有するコンテンツを容易に確認できる。また、コピーしたいコンテンツを選択すると、コピー可能な情報機器が自動的に表示されるので、表示装置の大きな画面上で、コンテンツに対応した画像（例えばサムネイル画像）をドラッグアンドドロップ方式によりコピー処理を開始することができる。すなわち、本実施形態によれば、複数の情報機器が同時に接続可能で、それぞれの情報機器が有する情報を一括に表示して、情報の交換を容易に行うことを可能にする表示装置を得ることができる。
【００９０】
〈第２実施形態〉
次に、図８〜図１２を用いて第２実施形態の表示装置および表示システムについて説明する。
【００９１】
図８に示す第２実施形態の表示システムＤＳ２は、第１実施形態の表示システムＤＳ１と同様に、表示装置に情報機器Ａ、情報機器Ｂ、情報機器Ｃの３台の情報機器を同時に接続して構成される。ただし、接続時にコンテンツ情報としてサムネイル画像を予め取得して表示しておく点と、タブ表示部を設けた表示装置１Ｂを用い、接続する情報機器Ａ、Ｂ、Ｃに対応するタブ１９Ａ、１９Ｂ、１９Ｃを表示している点が異なる。
【００９２】
この表示装置１Ｂも図１に示す表示装置１と同様に無線通信部１１と有線通信部１２を有しており、それぞれの通信部は、それぞれ複数の情報機器を同時に接続可能とされる。例えば、図８には、情報機器Ａが無線通信方式により接続され、情報機器Ｂと情報機器Ｃが有線通信方式にて接続された状態を示す。
【００９３】
また、接続直後には、表示部１５に、それぞれの情報機器Ａ、Ｂ、Ｃが有するコンテンツに対応したコンテンツ情報（例えば、サムネイル画像）を取得し、これらのコンテンツ情報を同時に表示する構成としている。例えば、情報機器Ａ、Ｂ、Ｃにそれぞれコンテンツ情報を表示させると、表示部１５にも同じコンテンツ情報（サムネイル画像）が一括に表示される。
【００９４】
また、表示部１５の下部にタブ表示部を設けて、表示装置１Ｂに接続しているそれぞれの情報機器Ａ、Ｂ、Ｃをタブ表示している。すなわち、表示装置１Ｂに３台の情報機器Ａ、Ｂ、Ｃを接続すると、それぞれをタブ表示すると共に、それぞれの表示画像として表示したサムネイル画像を同時に表示する構成としている。
【００９５】
また、図中に、ポインタＰを示しており、このポインタＰを入力装置１８を用いて操作することにより、識別のコンテンツを選択することや、コピー処理を行うことが可能になっている。
【００９６】
例えば、図９に示すように、ポインタＰを画像Ａ０２（サムネイル画像ＴＮ０２）に移動させてクリックすると、このサムネイル画像ＴＮ０２に対応したコンテンツタイプを要求する操作が開始され、取得したコンテンツタイプから、このコンテンツがコピー可能な情報機器を判別する。
【００９７】
また、コンテンツをコピー可能と判別された情報機器、もしくは、コピー不可能と判別された情報機器を明示するようにしていることも同じである。ただし、本実施形態では、タブ表示部分を利用して、コンテンツをコピー可能である情報機器か否かを表示している点が異なる。その他の構成は前述した第１実施形態と同じであるので、詳細な説明は省略する。
【００９８】
例えば、図９には、ポインタＰを介して画像Ａ０２を選択すると、この画像に対応したサムネイル画像ＴＮ０２をドラッグアンドドロップ方式により移動可能である状態を示している。
【００９９】
この際に、選択したサムネイル画像ＴＮ０２に対応したコンテンツタイプにより、このコンテンツをコピー可能な情報機器を予め取得している各情報機器のコンテンツ情報から判断して、その旨をタブ表示部分に表示する。例えば、図示するようにコピー可能な情報機器Ｂのタブ１９Ｂを拡大表示する。あるいは、色を変えたり、明るさを変えたりする表示でもよい。
【０１００】
また、コピー元の情報機器Ａとコピー不可能と判断された情報機器Ｃを同じ色で表示したり、大きさを変えて表示したりする方法を採用してもよい。いずれの方法であっても、表示装置１Ｂに表示する各情報機器に対応したタブ部の表示により、選択したコンテンツをコピー可能であるか否か容易に判断できる。
【０１０１】
ユーザーがサムネイル画像ＴＮ０２をドラッグして、図１０に示すように、拡大表示されたタブ１９Ｂまで移動してドロップするとこのドロップ操作が有効と判定され、前述したコピー処理が開始される。すなわち、前述したように、メイン制御部１３を介して、情報機器Ａに対して該当するコンテンツを情報機器Ｂに送信するよう送信指令を発し、情報機器Ｂに対して情報機器Ａからコンテンツを受信するよう受信指令を発し、情報機器Ａと情報機器Ｂとの間で送受信を開始する。
【０１０２】
上記したように、本実施形態に係る表示装置１Ｂは、表示手段として、それぞれの情報機器が有するコンテンツを識別する識別情報を取得して、当該識別情報を識別画像として一括に表示する識別画像表示機能を有しており、コピー可能として表示された情報機器に当該識別画像をドロップすることにより、コピー処理が開始される構成としている。この構成であれば、識別画像を用いることによりコンテンツの内容が視認容易となるので、所望のコンテンツを誤認することなく所望の情報機器にコピーすることが可能になる。
【０１０３】
ここで、識別情報は例えばサムネイル情報であって、識別画像はサムネイル画像であることが好ましい。この構成によると、表示装置１Ｂに複数の情報機器Ａ、Ｂ、Ｃを接続すると、それぞれの情報機器が有するコンテンツを識別するサムネイル情報を取得して表示部にサムネイル画像を一括に表示できる。そのために、コンテンツ内容を容易に認識できるサムネイル画像を、表示装置の画面上でドラッグアンドドロップ方式により移動させることにより、コピー元の情報機器とコピー先の情報機器との間でコンテンツをコピーする操作を開始する指令を発することができる。
【０１０４】
また、それぞれの情報機器が有するコンテンツを同時に表示する表示手段が、選択したコンテンツをコピー可能な情報機器とコピー不可能な情報機器をそれぞれ区別してタブ表示する機能（コピー可能明示機能）を備えた構成であれば、複数の情報機器をタブ表示し、それぞれの表示画面に表示されたコンテンツに対応したサムネイルを一括に表示することにより、接続されている情報機器と、それぞれの情報機器が有するコンテンツ情報と、コンテンツをコピー可能なコピー先の情報機器を容易に確認できる。
【０１０５】
上記したように、第２実施形態の表示装置１Ｂによれば、表示装置１Ｂの画面上でサムネイル画像をドラッグアンドドロップ方式により、コピー先の情報機器に対応したタブ表示部にドロップすることで、コンテンツのコピー処理を開始する指令を発することができる。すなわち、本実施形態によれば、複数の情報機器が同時に接続可能で、それぞれの情報機器が有する情報を同時に表示して、情報の交換を容易に行うことを可能にする表示装置１Ｂを得ることができる。
【０１０６】
次に、この第２実施形態の表示装置１Ｂの制御方法について、図１１、図１２に示すフローチャートを用いて説明する。図１１は、表示装置に接続する情報機器をタブ表示して所望のサムネイルを表示するまでの状態を示すフローチャートであり、図１２は、さらに、選択したサムネイルを介してコピー処理を実行する状態を示すフローチャートである。
【０１０７】
図１１に示すように、表示装置１Ｂに情報機器Ａ、Ｂ、Ｃを接続する処理を開始すると、情報機器を接続する手段を介してそれぞれの情報機器を接続してステップＳ３１の機器接続確立を実行する（接続工程）。
【０１０８】
次いで、それぞれの情報機器Ａ、Ｂ、Ｃが表示するコンテンツのコンテンツ情報を確認する操作を行う。例えば、それぞれのコンテンツ情報に含まれるファイル情報を要求（ステップＳ３２）し、それぞれの情報機器Ａ、Ｂ、Ｃから送信（ステップＳＡ３１、ＳＢ３１、ＳＣ３１）されるファイル情報を取得する。また、それぞれのファイル情報（コンテンツ情報）を保管（ステップＳ３３）する。また、それぞれの情報機器Ａ、Ｂ、Ｃに対応したタブを準備（ステップＳ３４）して、所定のタブ表示エリアにタブ表示する（ステップＳ３５）。
【０１０９】
次に、それぞれのコンテンツに対応したサムネイルを要求（ステップＳ３６）する。各情報機器Ａ、Ｂ、Ｃから、それぞれのコンテンツに対応するサムネイル情報が送信（ステップＳＡ３２、ＳＢ３２、ＳＣ３２）され、表示装置１Ｂは、受信したサムネイルの番号付けを行い（ステップＳ３７）、画像表示部１５に表示（ステップＳ３９）する。
【０１１０】
また、ステップＳ３７で付加されたサムネイルの番号は、それぞれの情報機器Ａ、Ｂ、Ｃに送信（ステップＳ３８）される。これにより、サムネイルの番号により、このサムネイルに対応した操作情報の送受信を行うことが可能になる。
【０１１１】
以後、図１２に示すフローチャートによりコンテンツのコピー処理を実行することができる。
【０１１２】
まず、ユーザーによる表示装置１Ｂの画面操作に応じて、メイン制御部１３が所望のコンテンツに対応したサムネイル画像を選択する（ステップＳ４１：情報機器Ａのサムネイル選択）。すると、選択されたコンテンツを有する情報機器Ａに対してサムネイル番号が送信され（ステップＳ４２）、情報機器Ａは受信したサムネイル番号に対応したコンテンツタイプ（サムネイルタイプ）を表示装置１Ｂに送信（ステップＳＡ４１）する。
【０１１３】
表示装置１Ｂが情報機器Ａからコンテンツタイプ（サムネイルタイプ）を受信すると、このコンテンツがコピー可能か否かをそれぞれの情報機器に対して確認（ステップＳ４３のサムネイルタイプの対応機器確認）して、その旨の判定（ステップＳ４４の、機器Ｂ：可、機器Ｃ：不可）を行う。また、例えば、コピー可能と判定された情報機器Ｂのタブを拡大表示（ステップＳ４５の機器Ｂの受信フラグ表示に相当）する。
【０１１４】
そして、拡大表示された情報機器Ｂのタブにサムネイルをドラッグして（ステップＳ４６のサムネイルを機器Ｂのエリアへ移動に相当）ドロップする（ステップＳ４７）ことにより、情報機器Ａが有するコンテンツを情報機器Ｂにコピーする操作が開始される。すなわち、表示装置１Ｂから情報機器Ａに対してファイルコピーの送信指令が発せられ、情報機器Ｂに対してファイルコピーの受信指令が発せられる（ステップＳ４８の機器Ａから機器Ｂへのコピー）。
【０１１５】
それから、情報機器Ａと情報機器Ｂとの間で、通信状態が確立され（ステップＳＡ４２、ステップＳＢ４１）、コンテンツファイルの送受信を実行する（ステップＳＡ４３）。また、情報機器Ｂが受信を完了すると、ファイル受信完了信号を情報機器Ａに送信する（ステップＳＢ４２）。
【０１１６】
その後、情報機器Ａと情報機器Ｂとは通信状態を解除（ステップＳＡ４４、ステップＳＢ４３）して、情報機器Ａが情報装置１Ｂに通信完了信号を送信する（ステップＳＡ４５）。また、表示装置１Ｂは、情報装置１Ａから通信完了信号を受信すると、送受信フラグを解除（ステップＳ４９）する。すなわち、情報機器Ｂのタブの拡大表示を解除し、コンテンツ選択のための初期状態に戻る。
【０１１７】
上記したステップＳ４１〜ステップＳ４９の処理手順を経て、情報機器Ａが有するコンテンツを情報機器Ｂにコピーする操作が完了する。新たなコピー処理を行う際には、このステップＳ４１〜ステップＳ４９に対応した操作を新たなコンテンツに対して行うことで実行可能である。
【０１１８】
上記で説明した第２実施形態の表示装置および表示装置の制御方法によれば、複数の情報機器が有するコンテンツをサムネイル画像を介して容易に確認できる。また、コピーしたいコンテンツを選択すると、コピー可能な情報機器が自動的に表示されるので、表示装置の大きな画面上で、コンテンツに対応したサムネイル画像をドラッグアンドドロップ方式によりコピー処理を開始することができる。すなわち、本実施形態によれば、複数の情報機器が同時に接続可能で、それぞれの情報機器が有する情報を同時に表示して、情報の交換を容易に行うことを可能にする表示装置および表示装置の制御方法を得ることができる。
【０１１９】
次に、図１３および図１４を用いて本発明に係る表示装置の処理工程について、さらに説明する。
【０１２０】
前述したように、また、図１３に示すように、本発明に係る表示装置１、１Ａ、１Ｂは、複数の情報機器を通信可能に接続して、それぞれが有するコンテンツ情報を表示し、ユーザーが所望するコンテンツを選択して一方の情報機器から他の情報機器にコピーする一連の処理工程として、接続工程２１と表示工程２２とコンテンツタイプ確認工程２３と判別工程２４とコピー処理工程２５を有する。また、判別工程２４は、コンテンツコピー可能明示工程を含む場合もある。
【０１２１】
接続工程２１は、無線通信部１１と有線通信部１２を介して複数の情報機器Ａ、Ｂ、Ｃを通信可能に接続する工程である。表示工程２２は、それぞれの情報機器Ａ、Ｂ、Ｃの表示画像もしくはそれぞれの情報機器Ａ、Ｂ、Ｃに表示されるコンテンツ情報に応じたコンテンツ画像を表示する工程である。コンテンツタイプ確認工程２３は、それぞれの情報機器Ａ、Ｂ、Ｃが有するコンテンツのコンテンツタイプを取得し、それぞれの情報機器Ａ、Ｂ、Ｃに入力可能なコンテンツタイプを確認する工程である。
【０１２２】
判別工程は、選択された所定のコンテンツに対応可能な情報機器を判別する工程である。また、この工程において、例えば、ユーザーにより選択された所定のコンテンツがコピー可能であると判定された情報機器を明示する表示を行ってもよい（コピー可能明示工程）。コピー処理工程２５は、コピー可能と判断された情報機器に対して、コンテンツ画像をドラッグアンドドロップ方式によりドロップすることにより当該コンテンツをコピーする旨の指令を発し、コピー元の情報機器とコピー先の情報機器との間で通信を行わせて、コンテンツのコピー処理を開始させる工程である。
【０１２３】
また、図中には示していないが、本発明に係る表示装置の処理工程が、所定のコンテンツに対応できない情報機器がこのコンテンツのコピー先になることを禁止するコピー先制限工程を有することは明らかである。
【０１２４】
上記の各工程を備えた制御方法であれば、接続工程２１を介して複数の情報機器を同時に接続可能となり、表示工程２２を介してそれぞれの情報機器が有する情報を表示可能となり、コンテンツタイプ確認工程２３と判定工程２４を介して所定のコンテンツをコピー可能な情報機器を確認可能となり、コピー処理工程２５を介して情報の交換を容易に行うことが可能になる表示装置の制御方法を得ることができる。
【０１２５】
また、図１４に示すように、表示工程２２は、第１実施形態に係る表示工程２２Ａと第２実施形態に係る表示工程２２Ｂとを有する。表示工程２２Ａは、画像表示工程２２Ａａとサムネイル表示工程２２Ａｂを有し、表示工程２２Ｂは、サムネイル表示工程２２Ｂａとタブ表示工程２２Ｂｂを有する。いずれの工程であっても、本発明に係る表示工程２２は、表示装置１、１Ａ、１Ｂに接続する複数の情報機器Ａ、Ｂ、Ｃと、この情報機器が有するコンテンツ情報を視認容易に同時に表示するものである。
【０１２６】
画像表示工程２２Ａａは、それぞれの情報機器の表示画像をそれぞれの表示エリア毎に区分けして一括に表示する工程であり、サムネイル表示工程２２Ａｂは、選択されたコンテンツのサムネイル情報を、当該コンテンツを有する情報機器から取得し、取得したサムネイル情報をサムネイル画像として表示画像に上書き表示する工程である。また、サムネイル表示工程２２Ｂａは、それぞれの情報機器の表示画像に表示されたコンテンツのサムネイルを取得して、当該サムネイルをサムネイル画像として一括に表示する工程であり、タブ表示工程２２Ｂｂは、それぞれの情報機器をタブ表示する工程である。
【０１２７】
画像表示工程２２Ａａとサムネイル表示工程２２Ａｂを有する表示工程２２Ａによれば、表示装置の表示部に接続されている情報機器がそれぞれ区分けして表示されるので、コピー元となる情報機器やコピー先となる情報機器を容易に確認することができる。また、この区分けされた表示エリアにサムネイル画像をドロップするだけの簡単な操作でコピー処理が開始できるので、ユーザーにとって操作が容易となる。
【０１２８】
また、サムネイル表示工程２２Ｂａとタブ表示工程２２Ｂｂを有する表示工程２２Ｂによれば、それぞれの情報機器をタブ表示し、コピー可能な情報機器かコピー不可能な情報機器かをタブの大きさや色を変えて表示できるので、コピー先となる情報機器を間違えることなくコピー処理を行うことが可能になる。
【０１２９】
また、表示工程２２Ａが、画像表示工程２２Ａａとサムネイル表示工程２２Ａｂに加えてタブ表示工程２２Ｂｂをさらに有する構成であってもよく、ユーザーの求めに応じて、適宜表示内容を選択して設定できる構成であればさらに好ましい。
【０１３０】
上記で説明した表示装置１、１Ａ、１Ｂは、家庭用のＴＶ装置を利用することも可能である。すなわち、上記構成の表示装置１、１Ａ、１Ｂを備えたＴＶ装置であれば、大型化が進んでいる家庭用のＴＶ装置を用いて、小型の情報機器が有する複数のコンテンツを一括に確認でき、所望のコンテンツの確認とコピー処理操作を容易に行うことが可能になるので、さらにユーザビリティが向上する。
【０１３１】
例えば、図１５に示すように、ＴＶ放送を受信するアンテナ１０２とＴＶ受信部１０１を備えたＴＶ装置１００に、前述した無線通信部１１、有線通信部１２、メイン制御部１３（ＣＰＵ）、記憶部１４、表示部１５、音声出力部１６、入力受信部１７を一体に設けた構成とする。メイン制御部１３（ＣＰＵ）は、前述した所望のコンテンツの確認とコピー処理操作の一連の処理を制御すると共に、ＴＶ放送を受信して視聴する一連の処理を制御する。
【０１３２】
上記構成のＴＶ装置１００であれば、ＴＶ放送を視聴する従来の使用に加えて、ユーザーが保有する複数の情報機器が有するコンテンツの確認を大きな画面上で行うことができ、所望のコンテンツのコピー処理操作を容易に行うことが可能になる。
【０１３３】
さらに、前述した各機能を有する信号処理装置を介して、従来のＴＶ装置を表示部として用いる構成であってもよい。例えば、図１６に示すようにＴＶ装置１１０に接続する信号処理装置１０が、複数の情報機器を接続する接続機能と、複数の情報機器が有するコンテンツの情報を表示装置に表示させる表示機能と、それぞれの情報機器が対応可能なコンテンツタイプおよびそれぞれの情報機器が有するコンテンツのコンテンツタイプを確認するコンテンツタイプ確認機能と、表示装置に表示させた情報から選択された所定のコンテンツに対応可能な情報機器を判別する判別機能と、所定のコンテンツに対応可能な情報機器が所定のコンテンツのコピー先として選択された場合、前記所定のコンテンツを有する情報機器とコピー先の情報機器との間で通信を行わせて、所定のコンテンツのコピー処理を開始させるコピー処理機能と、を有し、当該表示装置の画面上の操作により、コピー元の情報機器からコピー先の情報機器へのコピー処理を可能にする構成も本発明構成と言える。
【０１３４】
信号処理装置１０は、無線通信部１１と有線通信部１２とメイン制御部１３と記憶部１４と入力受信部１７を有しており、それぞれの通信部は、それぞれ複数の情報機器を同時に接続可能とされる。メイン制御部１３（ＣＰＵ）は、前述したアプリケーションの確認処理と起動処理の一連の処理を制御すると共に、ＴＶ装置１１０が有するＴＶ制御部１０３と通信可能であり、ＴＶ装置１１０の表示部１５に表示する画像や映像を制御する。従って、ＴＶ装置１１０の大きな表示画面に、それぞれの情報機器が有するコンテンツの情報を表示し、所望のコンテンツのコピー処理を容易に行うことが可能になる。
【０１３５】
上記の構成であれば、上記の各種機能を有する信号処理装置１０を従来のＴＶ装置１１０に接続するだけで、複数の情報機器が同時に接続可能で、それぞれの情報機器が有する情報を同時に表示して、情報の交換を容易に行うことが可能になる。この信号処理装置１０は、従来のＴＶ装置に接続して用いるレコーダーやＳＴＢ（セットトップボックス）などであってもよく、新たに設ける装置であってもよい。
【０１３６】
上記したように、本発明の第１実施形態によれば、表示装置１Ａに複数の情報機器を同時に接続して、それぞれの情報機器の表示画像およびコンテンツ情報を同時に表示して、一方の情報機器が有するコンテンツを他の情報機器にコピーする構成としているので、表示装置の大きな画面上に、それぞれの情報機器が有するコンテンツ情報を同時に表示することにより、利用可能なコンテンツを容易に確認できる。また、コピー処理も、表示装置１Ａの大きな画面上で操作できるので、ユーザーにとって操作容易となる。
【０１３７】
また、本発明の第２実施形態によれば、表示装置１Ｂに複数の情報機器を同時に接続して、それぞれの情報機器が有するコンテンツ情報に加えてそれぞれの情報機器に対応したタブを一括に表示して、コンテンツ情報をドラッグアンドドロップ方式により該当するタブに移動して一方の情報機器が有するコンテンツを他の情報機器にコピーする構成としているので、表示装置１Ｂに表示されたタブを介して接続されている情報機器、および選択したコンテンツをコピー可能な情報機器を容易に確認して、コンテンツの選択とコンテンツのコピー処理を容易にまた確実に行うことが可能になる。
【０１３８】
また、上記で説明した表示装置は、家庭用のＴＶ装置を利用することも可能である。すなわち、上記構成の表示装置１、１Ａ、１Ｂを備えたＴＶ装置、もしくは、他の表示装置に接続されて上記の各機能を発揮する信号処理装置であれば、大型化が進んでいる家庭用のＴＶ装置を用いて、小型の情報機器が有する複数のコンテンツを一括に確認でき、所望のコンテンツの確認とコピー処理操作を容易に行うことが可能になるので、さらにユーザビリティが向上する。
【０１３９】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更が含まれる。
【０１４０】
例えば、表示装置と情報機器とを接続する接続手段として、無線通信部と有線通信部とを用いて説明したが、本発明はこれに限らず、情報機器本体をプラグイン方式にて接続して通信可能に接続する構成であってもよい。
【０１４１】
また、表示装置に３台の情報機器を接続した構成を用いて説明したが、本発明はこれに限らず、２台でもよく、４台以上の複数台であってもよい。
【０１４２】
また、コンテンツ情報としてサムネイル画像を用いて説明したが、本発明はこれに限らず、コンテンツの名称を表示したテキスト表示でも、アイコン画像であってもよい。また、アプリケーション情報であってもよい。
【０１４３】
また、複数の情報機器が有するコンテンツを一括に表示するとして説明したが、本発明はこれに限らず、複数の情報機器のうち少なくとも２台以上の情報機器が有するコンテンツを同時に表示する構成でも、コンテンツをジャンル別に区分けして表示してもよく、また、スクロール方式に閲覧可能に表示してもよい。
【０１４４】
上記したように、本発明によれば、複数の情報機器を同時に接続可能で、それぞれの情報機器が有する情報を表示して、情報の交換を容易に行うことを可能にする表示装置、表示システム、表示装置の制御方法および信号処理装置を得ることができる。
【産業上の利用可能性】
【０１４５】
そのために、本発明に係る表示装置、表示システム、表示装置の制御方法および信号処理装置は、表示画面が小さい携帯型情報端末同士間でコンテンツなどの情報の交換を行う際に、大きな画面を介して、交換したいコンテンツを容易に確認し、交換操作も容易に行うことが求められる際に適用することができる。
【符号の説明】
【０１４６】
１、１Ａ、１Ｂ    表示装置
１０    信号処理装置
１１    無線通信部
１２    有線通信部
１３    メイン制御部
１４    記憶部
１５    表示部
１５Ａ、１５Ｂ、１５Ｃ  表示エリア
１８    入力装置
１９Ａ、１９Ｂ、１９Ｃ  タブ
１００    ＴＶ装置
１１０    ＴＶ装置
Ａ０１、Ａ０２  画像
ＴＮ０１、ＴＮ０２  サムネイル画像
ＤＳ１    表示システム（第１実施形態）
ＤＳ２    表示システム（第２実施形態）
Ｐ    ポインタ
【図１】
2014120859.tif 000003
【図２】
2014120859.tif 000004
【図３】
2014120859.tif 000005
【図４】
2014120859.tif 000006
【図５】
2014120859.tif 000007
【図６】
2014120859.tif 000008
【図７】
2014120859.tif 000009
【図８】
2014120859.tif 000010
【図９】
2014120859.tif 000011
【図１０】
2014120859.tif 000012
【図１１】
2014120859.tif 000013
【図１２】
2014120859.tif 000014
【図１３】
2014120859.tif 000015
【図１４】
2014120859.tif 000016
【図１５】
2014120859.tif 000017
【図１６】
2014120859.tif 000018